(57)【要約】【課題】  窓の外観を損ねず、採光性を有しながら、窓面材に強質の金属板を密着状として、窓面材を好ましくは片面の全面に亘り、被覆して補強し、窓面材の破壊及び壊落によっても、切断または溶断等の破壊、若しくは取外しを困難とし、殊に既存の窓枠に窓面材を交換することなく容易に取り付け可能とした窓補強板を提供すること。【解決手段】  多数の透孔１１を有す、望ましくは厚さ寸法を０．５ｍｍ乃至２．０ｍｍとし、また窓面材３０の片側全面を被覆するよう該窓面材３０と概ね同寸とした金属製の多孔板よりなり、縁部１２に有する取付部１３を窓面材３０の縁部３１と合せ、窓面材３０と密着状に積層し、窓面材３０と共に該取付部１３を介して窓枠２０に取付する窓補強板１０とする。【選択図】図３
2005207070.tif 000002
【特許請求の範囲】
【請求項１】
多数の透孔を有す金属製の多孔板よりなり、縁部に有する取付部を窓面材の縁部と合せ、窓面材と密着状に積層し、該取付部を介して窓面材と共に窓枠に取付することを特徴とする、窓補強板。
【請求項２】
取付部に、縁部を窓面材の縁辺に沿って端面にかけ折曲して成る係止部を有すことを特徴とする、請求項１記載の窓補強板。
【請求項３】
取付部に、縁部を窓面材の縁辺に沿って反対面の縁部にかけ折返して成る掛止部を有すことを特徴とする、請求項１乃至２記載の窓補強板。
【請求項４】
取付部に、縁部を窓枠の内向面に当接するよう折曲して成る当接部を有すことを特徴とする、請求項１乃至３記載の窓補強板。
【請求項５】
取付部に、透孔を有しないことを特徴とする、請求項１乃至４記載の窓補強板。
【請求項６】
多孔板は、厚さ寸法を０．５ｍｍ乃至２．０ｍｍとしたことを特徴とする、請求項１乃至５記載の窓補強板。
【請求項７】
多孔板は、窓面材の片側全面を被覆するよう、該窓面材と概ね同寸としてあることを特徴とする、請求項１乃至６記載の窓補強板。
【発明の詳細な説明】
【技術分野】
【０００１】
本発明は、窓面材を補強して窓の防犯性を高める窓補強板に関する。
【背景技術】
【０００２】
窓枠の開口部に取付された窓面材としては、一般に破損し易いガラス板が用いられ、引戸等の開放可能の施錠機構を有す窓枠や、玄関扉等の固定状とした採光用の窓枠に取付されている。
【０００３】
これら屋内と屋外とを隔てる窓面材は、屋外側より故意に衝撃を加え、容易に破壊し壊落させることができ、その一部乃至全部を窓枠より取り除き、該窓枠内に生じた開口を通り、或は引戸や玄関扉をそれらの施錠機構を該窓枠内に生じた開口を通じてクレセントやサムターンを操作して開錠状態として引戸や玄関扉を開放しての、屋内側への不正な侵入を許してしまう。
【０００４】
これに対し従来より、窓の屋外側に強質の金属製の格子を固設する手段があるが、窓の外観を損ねると共に、屋内側からも格子が目視され屋外に対しての開放感を損ねることとなり、また開放可能の窓であっても、固設した金属製の格子を取外さなければ、火災等の災害時に脱出口として使用することが出来ず、防災上の観点から好ましくない。
【０００５】
そこで、主として防災を目的とし災害時等にガラスの壊落を防止する、窓面材として金網入ガラスを用いる手段、或は窓面材の屋内側の全面に樹脂等よりなり片面に粘着層を有する薄膜を貼着する手段によって、比較的に衝撃に強く破壊され難く、窓面材が破壊されても金網や樹脂膜を介して窓面材片が聯繋し、壊落し難い窓面材として、窓の防犯性を高めることがなされている。
【０００６】
しかし、これら金網入ガラスを用いる手段や薄膜を貼着する手段によっても、窓面材は故意の破壊を目的とした衝撃に耐え得る強度を有するに至らず、加えて、衝撃を加えて破壊した後に、金網や樹脂膜を介して壊落せず聯繋状となっている窓面材片を、金網入ガラスを用いる手段にあっては、該金網をニッパー等で切断し、薄膜を貼着する手段にあっては、該薄膜をバーナー等で溶断またはカッター等で切断して、窓面材の壊落による窓面材片の床面等への落下音を伴わず、静粛かつ容易に窓枠より取り除くことができてしまい、十分な防犯性を備える窓とはならない。
【０００７】
更に、金網入ガラスを用いる手段を導入するに、既に窓枠に窓面材として一般の破損し易いガラス板を取付してある際には、窓面材として金網入ガラスを既存の窓面材と同寸法として作成して交換することを要し、手間や費用の負担が大となる。
【０００８】
また、薄膜を貼着する手段を導入するに、窓の外観を損ねぬよう、屋内側の全面に薄膜を窓面材との間に気泡や皺を生じさせず貼着する作業に困難性があり、加えて、薄膜は窓面材より粘着層の粘着剤が窓面材に残らぬよう剥離する作業にも困難性があり、これら作業をする面積が大となれば困難性は極めて大となり、手間や費用の負担が大となる。
【０００９】
そこで、貼着又は剥離を容易として、手間や費用を軽減するため、施錠機構や補助施錠機構の周辺にのみ薄膜を貼着するする手段も講じられているが（例えば、特許文献１参照。）、該手段によるものの防犯性は、前記した薄膜を貼着する手段によるものに満たないものとなっている。
【００１０】
【特許文献１】特開２００３−０２０８２６
【発明の開示】
【発明が解決しようとする課題】
【００１１】
上述の難点に鑑み本発明は、窓の外観を損ねず、採光性を有しながら、窓面材に強質の金属板を密着状として、窓面材を好ましくは片面の全面に亘り、被覆して補強し、窓面材の破壊及び壊落によっても、切断または溶断等の破壊、若しくは取外しを困難とし、殊に既存の窓枠に窓面材を交換することなく容易に取り付け可能とした窓補強板を提供することを課題とする。
【課題を解決するための手段】
【００１２】
上述の課題を解決するために本発明による窓補強板は、多数の透孔を有す金属製の多孔板よりなり、縁部に有する取付部を窓面材の縁部と合せ、窓面材と密着状に積層し、該取付部を介して窓面材と共に窓枠に取付する構成としてある。
【００１３】
また、本発明による窓補強板は、取付部の縁部を、窓面材の縁辺に沿って端面にかけ折曲して成る係止部とし、或は窓面材の縁辺に沿って反対面の縁部にかけ折返して成る掛止部とし、或は窓枠の内向面に当接するよう折曲して成る当接部としてあることが望ましい。
【００１４】
更に、本発明による窓補強板は、少なくとも取付部に透孔を有さないことが好ましく、また厚さ寸法を０．５ｍｍ乃至２．０ｍｍとし、また窓面材の片側全面を被覆するよう該窓面材と概ね同寸としてあることが望ましい。
【発明の効果】
【００１５】
上述の構成としたことにより本発明による窓補強板は、強質の多数の透孔を有す金属製の多孔板としたことにより、窓面材を保護補強すると共に、窓面材の破壊及び壊落によっても、切断や溶断等の破壊が困難とし、また、不正に屋内側に侵入を試みようとする者に対し、屋外側から窓補強板の存在を目視可能であることにより、侵入が困難な窓であることを想起させ、破壊等を未然に防ぐこともできる。
【００１６】
前記した効果と共に、本発明による窓補強板は、透光性を有し屋内側より屋外側を目視でき、開放感を損なうことがなく、また屋外側より屋内側を目視し難くすることもでき、屋内側におけるプライバシーを保つこともでき、これらは透孔の窓補強板に対する割合や配置によって、或いは窓補強板の屋内側と屋内側の色彩によって適正なものとできる。
【００１７】
また、前記した効果と共に、本発明による窓補強板は、縁部を窓面材の縁部と合せて密着状に積層するため、窓面材の屋内側に取付しても、窓補強板の屋内側が窓面材の屋内側に映り込みせず屋内側より屋外側を目視でき、また、縁部の取付部を介して窓面材と共に窓枠に取付するため、粘着層等を有せずとも取付することができ、窓面材を汚損することがない。
【００１８】
また、前記した効果と共に、本発明による窓補強板の取付部を、係止部、掛止部、当接部とすることにより、窓補強板は窓面材または窓枠に対して固定状として、より取外しを困難とでき、窓面材の壊落によっても、窓枠内を窓補強板によって閉塞状に保つことができる。
【００１９】
更に、前記した効果と共に、本発明による窓補強板は、取付部に透孔を有さず、多孔板を厚さ寸法を０．５ｍｍ乃至２．０ｍｍとしたことにより、強質であると共に、一般の窓枠であっても取付可能となり、また窓面材の片側全面を被覆するよう該窓面材と概ね同寸として、例え窓面材の全部が壊落しても窓枠内を閉塞状に保つことができる。
【００２０】
加えて、本発明による窓補強板は、寸法や透孔の形状や大きさ等の異なる多種多様の多孔板が、比較的安価に入手可能であり、また加工も容易であるので、手間や費用の負担も小となり、既存の窓に取付するに適している。
【発明を実施するための最良の形態】
【００２１】
本発明による窓補強板１０は、図１の窓補強板を取付した窓の斜視図に示すように、多数の透孔１１，１１，・・・を有す金属製の多孔板よりなり、図２の窓補強板を取付する窓の断面図に示すような、窓枠２０の内向面２１に一連に溝部２２を周設してあり、透光性を有す窓面材３０をその縁部３１をパッキン２３を介して前記溝部２２に嵌入して窓枠２０内に取付してある窓において、図３の窓補強板を取付した窓の断面図に示すように、縁部１２の取付部１３を窓面材３０の縁部３１と合せ、窓枠２０と窓面材３０との間にパッキン２３を介して挟持状とし、窓面材３０の主として屋内側面に密着状に積層して取付し、窓面材３０を補強することとしてある。
【００２２】
前記した窓補強板１０は、厚さ寸法を０．５ｍｍ乃至２．０ｍｍとしてあり、十分な強度を有しながら加工が容易であるとともに、既存の窓であっても、その溝部２２において窓枠２０と窓面材３０との間に収まり、取付可能としてあることが望ましい。
【００２３】
また、窓補強板１０は、図１等に示すように、窓面材３０の片側全面を被覆するよう該窓面材３０と概ね同寸としてあり、取付部１３を窓枠２０の溝部２２の全体に亘り挟持状として窓枠２０に取付してあることが望ましい。
【００２４】
前記した取付部１３は、図４の係止部を設けた取付部の断面図に示すように、窓面材３０の縁辺３２に沿って端面３３にかけ折曲して成り窓面材３０の縁部３１に係止する係止部１４、若しくは図５の掛止部を設けた取付部の断面図に示すように、窓面材３０の縁辺３２，３２に沿って反対面３４の縁部３５にかけ折返して成り窓面材３０の縁部３１に掛止する掛止部１５、又は図６の当接部を設けた取付部の断面図に示すように、窓枠２０の内向面２１に当接するよう折曲して成り窓枠２０に当接し必要に応じて螺子止めする当接部１６を、これらのうち一を単独で又は複数を組合せとして、全体又は一部に一連として、或いは所要複数箇所に断続として設けてあることが望ましい。
【００２５】
上記のように構成した窓補強板１０は、窓面材３０の屋内側面のみならず屋外側面であっても、窓面材３０の片側面にのみならず両側面に取付可能であり、両側面に取付した窓補強板１０，１０は、互いの取付部１３，１３を螺旋止め等して連結したり、図７の両側面に亘り窓補強板を取付した窓の断面図に示すように、取付部１３を介して連設した両側面に亘る窓補強板１０とすることもある。
【００２６】
また、上記のように構成した窓補強板１０は、図３乃至図７等に示すように、透孔１１，１１，・・・を取付部１３に有さず、強質なものとし且つパッキン２３との密着性を高くしてあることが好ましく、窓面材３０の縁部３１、或は窓枠２０の溝部２２の内側に粘着する粘着層を設けてもよく、加えて、窓補強板１０の窓面側に窓面材３０に粘着する粘着層を設けることもある。
【００２７】
また、上記のように構成した窓補強板１０は、透孔１１，１１，・・・の窓補強板１０に対して占める割合により、強度と透光性とを適正なものとすることができ、これを６５％以下とすることにより十分な強度性を有するものとできる。
【００２８】
また、上記のように構成した窓補強板１０は、透孔１１，１１，・・・を窓補強板１０に、図８の透孔を均等に配した窓補強板を取付した窓の正面図に示すように均等に配置するのみならず、その形状や大きさと配置により、例えば、図９の模様となるよう透孔を配した窓補強板を取付した窓の正面図に示すように模様を描いたり、図１０の上半分のみ透孔を配した窓補強板を取付した窓の正面図に示すように上半分のみ透光することとしたり、図１１の上方により大きな透孔を配した窓補強板を取付した窓の正面図に示すように上部乃至下部かけ濃淡に透光することとし、透光しない又は透光し難い部分を設けることもでき、窓の外観を好適なものとしたり、効果的に屋内側におけるプライバシーを保つことができる。
【００２９】
また、上記のように構成した窓補強板１０は、色彩を施すこともでき、窓の外観を好適なものとしたり、殊に、屋外側を明色や膨張色、屋内側を暗色や収縮色とし、屋内側より屋外側を目視し易く、屋外側より屋内側を目視し難くすることができ、効果的に屋内側におけるプライバシーを保つことができる。
【図面の簡単な説明】
【００３０】
【図１】窓補強板を取付した窓の斜視図
【図２】窓補強板を取付する窓の断面図
【図３】窓補強板を取付した窓の断面図
【図４】係止部を設けた取付部の断面図
【図５】掛止部を設けた取付部の断面図
【図６】当接部を設けた取付部の断面図
【図７】両側面に亘り窓補強板を取付した窓の断面図
【図８】透孔を均等に配した窓補強板を取付した窓の正面図
【図９】模様となるよう透孔を配した窓補強板を取付した窓の正面図
【図１０】上半分にのみ透孔を配した窓補強板を取付した窓の正面図
【図１１】上方により大きな透孔を配した窓補強板を取付した窓の正面図
【符号の説明】
【００３１】
１０    窓補強板
１１    透孔
１２    縁部
１３    取付部
１４    係止部
１５    掛止部
１６    当接部
２０    窓枠
２１    内向面
２２    溝部
２３    パッキン
３０    窓面材
３１    縁部
３２    縁辺
３３    端面
３４    反対面
３５    縁部
【図１】
2005207070.tif 000003
【図２】
2005207070.tif 000004
【図３】
2005207070.tif 000005
【図４】
2005207070.tif 000006
【図５】
2005207070.tif 000007
【図６】
2005207070.tif 000008
【図７】
2005207070.tif 000009
【図８】
2005207070.tif 000010
【図９】
2005207070.tif 000011
【図１０】
2005207070.tif 000012
【図１１】
2005207070.tif 000013